(57)【特許請求の範囲】
【請求項１】
シングルレバーの上下回動操作に基づいて吐止水及び水量調節を行い、左右回動操作に基づいて吐水の温度調節を行うシングルレバー水栓において、
（イ）前記シングルレバー若しくはレバー軸等該シングルレバーと一体に上下回動する水栓構成部材と別体をなして該シングルレバー若しくは該水栓構成部材としての一体回動部材に対し、該シングルレバーの上下回動及び左右回動と一体に回動する状態に固定される可動部材と、（ロ）該シングルレバーを回動可能に支持する水栓本体と別体をなし、該水栓本体に対し、該可動部材と一体に左右回動し且つ該シングルレバーの上下回動時に該可動部材と一体回動しない状態に固定される固定部材と、（ハ）それら可動部材及び固定部材の一方に設けられた係合部と、（ニ）他方に設けられた被係合部と、（ヘ）該係合部を被係合部に向けて付勢するばね部材と、を有し、該係合部の該被係合部に対する係合時にクリック感を発生するクリック機構を、前記シングルレバー若しくは一体回動部材と前記水栓本体とにまたがって組み付け、該シングルレバーの上下回動操作の操作途中で該係合部を該被係合部に弾性係合させ、発生したクリック感により使用者に該シングルレバーが設定位置に到ったことを知らせるようになし、且つ前記ばね部材は前記可動部材と固定部材と弾性結合する結合部材を兼ねており、該ばね部材にて該可動部材と固定部材とが結合されて前記クリック機構が組付体ユニットとして構成してあることを特徴とするクリック機構付シングルレバー水栓。
【請求項２】
請求項１において、前記クリック機構が前記係合部と被係合部とを凹凸係合させて前記シングルレバーを前記設定位置に位置決めし、一時的に静止させる機能を有していることを特徴とするクリック機構付シングルレバー水栓。
【請求項３】
請求項１，２の何れかにおいて、前記ばね部材が金属ばね線材を曲げ変形して構成してあることを特徴とするクリック機構付シングルレバー水栓。
【請求項４】
請求項１〜３の何れかにおいて、前記クリック機構が、前記シングルレバーの基端のキャップと前記水栓本体の上部との間に形成された凹所内に収容され組み付けられていることを特徴とするクリック機構付シングルレバー水栓。
【請求項５】
請求項４において、前記可動部材が前記キャップの内側に固定されていることを特徴とするクリック機構付シングルレバー水栓。
【請求項６】
請求項５において、前記可動部材にはスリットが設けられていて、該スリットに前記キャップ内部のリブが差し込まれることで該可動部材が該キャップに固定されていることを特徴とするクリック機構付シングルレバー水栓。
【請求項７】
請求項４〜６の何れかにおいて、前記固定部材がリング状の差込部を有しており、該差込部が、前記水栓本体における弁カートリッジのキャップと、該弁カートリッジを水栓本体のハウジングに収容状態に固定する固定ナットと、前記シングルレバーの左右回動運動を前記弁カートリッジ内部の可動弁体に伝達する回転体とで形成される環状溝内に差し込み状態に固定されていることを特徴とするクリック機構付シングルレバー水栓。
【請求項８】
請求項１〜７の何れかにおいて、前記係合部が回転するローラで構成されており、前記被係合部が該ローラを落し込む凹部であることを特徴とするクリック機構付シングルレバー水栓。
【発明の詳細な説明】
【０００１】
【発明の属する技術分野】
この発明はシングルレバー水栓に関し詳しくはクリック機構付のものに関する。
【０００２】
【従来の技術及び発明が解決しようとする課題】
従来、シングルレバーの上下回動操作に基づいて吐止水及び水量調節を行い、左右回動操作に基づいて吐水の温度調節を行うシングルレバー水栓が、キッチン用水栓，浴室用水栓，洗面用水栓等として広く用いられている。
このシングルレバー水栓はレバー操作を軽やかに行うことができ、操作フィーリングが良好であるとともにシングルレバーを全閉状態から全開状態まで速やかに且つ一気に操作し得る特徴を有する。
【０００３】
しかしながらこの特徴は、反面において水量の微妙な調節が必ずしも行い易いとは言えない問題につながっている。
例えば比較的少量の水量でこと足りる場合であるにも拘らず、シングルレバーの微妙な操作がしづらいことから、これを全閉からいきなり全開状態としてしまうといったことも往々にして行なわれ勝ちである。
この場合貴重な水が無駄に多く流されてしまうこととなる。
【０００４】
その対策として、従来、シングルレバーが全閉状態から全開状態に到る操作途中の所定位置（設定位置）に到ったところで、シングルレバーをクリック感をもって一旦静止させるようになしたものが各種提案されている。
【０００５】
例えばレバーと一体に上下回動するレバー軸に凹所を形成し、そこにボールを収容するとともにこれを凹所内にセットしたスプリングにより飛び出し方向に付勢する一方、レバー軸とともに左右回動する回転体の内周面に凹みを設け、ボールがレバー軸の上下回動と一体に回動したとき、凹みの位置に到ったボールをその凹みに一部嵌り込ませることによって、シングルレバーをクリック感をもってそこに一旦静止させるようにしたものが提案されている。
【０００６】
しかしながらこの種従来のクリック機構の場合、何れも予め水栓の一部を特殊な構造となしておかなければならないものであって、いわばそれ専用の水栓となしておくことを必要とするものである。
【０００７】
即ち、通常の既設の水栓に対して後付けでクリック機構を組み付けたり、最終のユーザーが好みに応じてクリック機構を脱着するといったことのできないもので、クリック機構を備えた水栓が設置されたのちは、最終の使用者がそのようなクリック機構を不必要と感じた場合であっても、そのまま使用せざるを得ないといった問題があった。
【０００８】
またクリック感を発生させるべき適当な位置は、水栓の設置現場における給水圧の大小や、キッチン用水栓，浴室用水栓，洗面用水栓等水栓の種類に応じても異なって来るものであり、この場合従来のクリック機構の場合、それぞれその目的に応じたものを予め水栓に備えておかなければならず、水栓の組込み後において必要に応じ設定を変えるといったことができないといった問題も有していた。
【０００９】
更に従来提案されているクリック機構の場合、シングルレバーの操作を繰り返すうちに摩耗によってクリック感が漸次弱まり又は失われて行くが、そのようになったとしても従来提案されているものの場合、クリック機構の取替えが効かないといった問題もあった。
【００１０】
【課題を解決するための手段】
本発明のクリック機構付シングルレバー水栓はこのような課題を解決するために案出されたものである。
而して請求項１のものは、シングルレバーの上下回動操作に基づいて吐止水及び水量調節を行い、左右回動操作に基づいて吐水の温度調節を行うシングルレバー水栓において、（イ）前記シングルレバー若しくはレバー軸等該シングルレバーと一体に上下回動する水栓構成部材と別体をなして該シングルレバー若しくは該水栓構成部材としての一体回動部材に対し、該シングルレバーの上下回動及び左右回動と一体に回動する状態に固定される可動部材と、（ロ）該シングルレバーを回動可能に支持する水栓本体と別体をなし、該水栓本体に対し、該可動部材と一体に左右回動し且つ該シングルレバーの上下回動時に該可動部材と一体回動しない状態に固定される固定部材と、（ハ）それら可動部材及び固定部材の一方に設けられた係合部と、（ニ）他方に設けられた被係合部と、（ヘ）該係合部を被係合部に向けて付勢するばね部材と、を有し、該係合部の該被係合部に対する係合時にクリック感を発生するクリック機構を、前記シングルレバー若しくは一体回動部材と前記水栓本体とにまたがって組み付け、該シングルレバーの上下回動操作の操作途中で該係合部を該被係合部に弾性係合させ、発生したクリック感により使用者に該シングルレバーが設定位置に到ったことを知らせるようになし、且つ前記ばね部材は前記可動部材と固定部材と弾性結合する結合部材を兼ねており、該ばね部材にて該可動部材と固定部材とが結合されて前記クリック機構が組付体ユニットとして構成してあることを特徴とする。
【００１１】
請求項２のものは、請求項１において、前記クリック機構が前記係合部と被係合部とを凹凸係合させて前記シングルレバーを前記設定位置に位置決めし、一時的に静止させる機能を有していることを特徴とする。
【００１２】
請求項３のものは、請求項１，２の何れかにおいて、前記ばね部材が金属ばね線材を曲げ変形して構成してあることを特徴とする。
【００１３】
請求項４のものは、請求項１〜３の何れかにおいて、前記クリック機構が、前記シングルレバーの基端のキャップと前記水栓本体の上部との間に形成された凹所内に収容され組み付けられていることを特徴とする。
【００１４】
請求項５のものは、請求項４において、前記可動部材が前記キャップの内側に固定されていることを特徴とする。
【００１５】
請求項６のものは、請求項５において、前記可動部材にはスリットが設けられていて、該スリットに前記キャップ内部のリブが差し込まれることで該可動部材が該キャップに固定されていることを特徴とする。
【００１６】
請求項７のものは、請求項４〜６の何れかにおいて、前記固定部材がリング状の差込部を有しており、該差込部が、前記水栓本体における弁カートリッジのキャップと、該弁カートリッジを水栓本体のハウジングに収容状態に固定する固定ナットと、前記シングルレバーの左右回動運動を前記弁カートリッジ内部の可動弁体に伝達する回転体とで形成される環状溝内に差し込み状態に固定されていることを特徴とする。
【００１７】
請求項８のものは、請求項１〜７の何れかにおいて、前記係合部が回転するローラで構成されており、前記被係合部が該ローラを落し込む凹部であることを特徴とする。
【００１８】
【作用及び発明の効果】
以上のように本発明は、従来備えられている水栓構成部材とは別体をなす可動部材と固定部材とを、それぞれシングルレバー若しくはこれと一体回動する部材の側と水栓本体の側とに固定し、そして可動部材と固定部材との一方に設けた係合部を他方に設けた被係合部に対し、シングルレバーの上下回動操作の途中でばね部材の弾性力により弾性係合させてクリック感を発生させ、使用者に対しシングルレバーが設定位置に到ったことを知らせるようになしたもので、これによりそのクリック感の発生位置を適当に定めておくことで節水の目的を果たすことができる。
【００１９】
詳しくは、係合部と被係合部との弾性係合位置を吐水量が例えば６リットル程度となるような位置に定めておけば、使用者はそのクリック感に基づいてシングルレバーの位置がそのような位置に到ったことを知ることができ、そこでシングルレバーを停止させることで適当な水量で水栓から水を吐水させることができる。
【００２０】
そして更に水量が欲しい場合にはその位置から更にシングルレバーを全開方向に上下回動操作すれば良い。
本発明では、通常のシングルレバー水栓に対して後付けでクリック機構を取り付けることができ、これにより既設の通常の水栓に対しクリック機能を付与することができる。
【００２１】
また最終の使用者が不必要と思えばそのクリック機構を取り外すこともできる。
更にまた使用を続けるうちにクリック感が弱まり或いは消失した場合、消耗したクリック機構を最終使用者が容易に新品のクリック機構と取り替えることができ、常に明確なクリック感を発生させる状態で水栓を使用し続けることができる。
【００２２】
またクリック機構として、クリック位置の異なる様々なバリエーションのものを予め用意しておくことで、キッチン水栓，浴室水栓，洗面水栓等各種水栓に対して、或いは水栓設置現場の状況等に容易に対応することができる。
【００２３】
この請求項１では、クリック機構におけるばね部材を、可動部材と固定部材とを弾性結合する結合部材を兼用させ、そのばね部材により可動部材と固定部材とを係合してクリック機構を組付体ユニットとして構成しておく。
このようになすことで、クリック機構の水栓への組付けを更に容易なものとなすことができる。
【００２４】
ここで上記クリック機構は、係合部と被係合部とを凹凸係合させてシングルレバーを設定位置に位置決めし、一時的に静止させる機能を持たせておくことができる（請求項２）。
【００２５】
また上記ばね部材は、金属ばね線材を曲げ変形して構成することができる（請求項３）。
請求項４のものは、クリック機構をシングルレバーの基端のキャップと水栓本体の上部との間に形成された凹所内に収容し組み付けるようになしたもので、このようにすれば、キャップ内部にもともと存在している空間をクリック機構組付けのためのスペースとして有効に活用することができる。
【００２６】
この場合において、クリック機構における可動部材をキャップの内側に固定しておくことができる（請求項５）。
更に可動部材をキャップの内側に固定するに際し、可動部材にスリットを設けておき、そのスリットにキャップ内部のリブを差し込んで可動部材とキャップとを固定状態となすことができる（請求項６）。
【００２７】
請求項７のものは、固定部材にリング状の差込部を備えておき、その差込部を、水栓本体における弁カートリッジのキャップと、これを水栓本体のハウジングに収容状態に固定する固定ナットと、シングルレバーの左右回動運動を可動弁体に伝達する回転体とで形成される環状溝内に差込状態に固定するようになしたもので、このような固定構造となすことで、従来水栓に備えられている環状溝を有効に活用して固定部材の固定、ひいてはクリック機構の取付けをなすこととができる。
【００２８】
請求項８のものは、クリック機構における上記係合部を回転するローラで構成する一方、被係合部をそのローラを落とし込む凹部として構成したもので、このようになした場合、凹部を深く形成しておくことでクリック感を大きく発生させることができ、しかも凹部からローラを押し出す際、ローラの回転運動で円滑にこれをなすことができ、係合部と被係合部との間に大きな摩擦力を発生させたり、その摩擦力により係合部や被係合部を摩耗させたりするのを抑制でき、明確なクリック感を長く持続することができる。
【００２９】
【実施例】
次に本発明の実施例を図面に基づいて詳しく説明する。
図１において１０はシングルレバー水栓で、カウンター１２に対し、互いに離隔した位置において水栓本体１４と吐水部１６とが取り付けられている。
【００３０】
吐水部１６は、吐水口１９を有する吐水ヘッド１８とこれを保持するホルダ管２０を有しており、その吐水ヘッド１８が、これに接続された可撓性のホース２２とともにホルダ管２０から引出し可能とされている。
【００３１】
２４，２４は水栓本体１４に対し水，湯を供給するサプライ管で、これらサプライ管２４を通じて送られて来た水，湯が水栓本体１４内部で混合され、その混合水が水栓本体１４から下向きに突き出した流出管２６を通じて外部に流出する。
【００３２】
この流出管２６には上記ホース２２の端部が接続されており、流出管２６を通じて流出した混合水が、ホース２２を通じて上記吐水ヘッド１８へと送られる。
【００３３】
水栓本体１４の上部には樹脂製のシングルレバー２８（以下単にレバーとする）が上下及び左右回動可能に設けられている。
この例のシングルレバー水栓１０の場合、レバー２８を上下回動操作することで吐止水及び水量調節が行われ、また左右回動操作することで吐水の温度調節が行われる。
【００３４】
尚この例のシングルレバー水栓１０の場合、レバー２８が回動下端に位置する状態が全閉状態であり、この位置からレバー２８を上向きに回動操作することで吐水が開始され、更にその上方への回動量を大きく又は小さくすることで吐水の水量が大流量に又は小流量に調節される。
【００３５】
図２に水栓本体１４の内部構造が具体的に示してある。
同図において、３０は樹脂製のハウジングで下部が円筒部３２とされており、その円筒部３２が、カウンター１２を貫通して下向きに突き出し、カウンター１２の裏側において締付ナット３４及び三角パッキン３６によりカウンター１２に固定されている。
上記サプライ管２４及び流出管２６は、この円筒部３２の内部に挿入されてハウジング３０内の底部３８に接続されている。
【００３６】
ハウジング３０の内部には、弁カートリッジ４０が収容されている。
弁カートリッジ４０は、カートリッジハウジングが底部４４と上部のキャップ５２とに分かれていて、それらが上下に結合されている。
【００３７】
これらにより形成される弁カートリッジハウジングの内側には、セラミックディスクから成る固定弁体４２と、その上面を摺動運動するセラミックディスクから成る可動弁体４６とその駆動部４８、更に後述するレバー軸６４と一体に左右回動してレバー２８の左右回動運動を可動弁体４６に伝達するための回転体５０が組み付けられている。
【００３８】
これら要素からなる弁カートリッジ４０は、キャップ５２においてハウジング３０の一部を成す固定ナット５４により下向きに押し付けられている。ここで固定ナット５４は、ハウジング３０の本体に対しねじ込み固定されている。
尚５６は化粧カバーである。
【００３９】
レバー２８の基端にはキャップ５８が一体に形成されている。このキャップ５８の内側には、中心部においてボス部６０が一体に形成され、更にそのボス部６０とキャップ５８の周壁部とを結ぶようにして補強リブ６２が一体に形成されている。
そしてそのボス部６０に対し、レバー軸６４がレバー２８と一体に上下回動及び左右回動する状態でねじ６６により固定されている。
【００４０】
このねじ６６は、その頭部がレバー２８に形成した凹陥部６８内部に収容されており、更にその凹陥部６８に嵌着されたキャップ７０により隠蔽されている。
ここでレバー軸６４は、下端部において軸７２周りに回動可能とされている。
【００４１】
この例のシングルレバー水栓の場合、レバー２８を上下回動操作すると、レバー軸６４が軸７２周りに回動運動し、これに伴って駆動部４８により可動弁体４６が固定弁体４２の上面を図２中左右方向に摺動運動し、水量調節を行う。
またレバー２８を図２中紙面と直角方向に左右回動操作すると、その回動運動が回転体５０及び駆動部４８を介して可動弁体４６に伝えられ、これにより可動弁体４６が固定弁体４２上を紙面と直角方向に回動運動して吐水の温度調節を行う。
【００４２】
図２及び図３において、７４はレバー２８と水栓本体１４とにまたがって組み付けられ、レバー２８の上下回動操作の途中の設定位置でクリック感を発生させるクリック機構で、その具体的構成が図４〜図１０に詳しく説明してある。
【００４３】
図４に示しているように、クリック機構７４は可動部材７６と固定部材７８とそれらを弾性結合するばね部材８０とを有しており、全体が一つの組付体ユニットとして構成されている。
【００４４】
而してクリック機構７４は、可動部材７６がキャップ５８に固定されて、レバー２８の上下回動及び左右回動の際にキャップ５８と一体に回動するようになっている。
一方固定部材７８は水栓本体１４に固定され、可動部材７６と一体に左右回動する一方、レバー２８の上下動の際の可動部材７６の回動とは一体回動せず、可動部材７６に対し同方向に固定状態とされている。
【００４５】
可動部材７６は、図１０に示しているように一対の対向壁部８２とそれらを連結する連結壁部８４とを有する平面形状が略コ字形状を成す部材で、一対の対向壁部８２と連結壁部８４とのそれぞれにスリット８６Ａ，８６Ｂが形成されている。
可動部材７６は、連結壁部８４の一対のスリット８６Ｂにおいて、図４，図７に示しているようにレバー２８のキャップ５８におけるリブ６２Ｂに差し込まれ、また一対の対向壁部８２のそれぞれの一対のスリット８６Ａにおいて、キャップ５８のリブ６２Ａに差し込まれ、それらスリット８６Ｂ，８６Ａとリブ６２Ｂ，６２Ａとの嵌合に基づいて、可動部材７６がキャップ５８と一体移動する状態にキャップ５８に固定されている。
【００４６】
可動部材７６には、図５，図８，図９及び図１０に示しているように一対の対向壁部８２のそれぞれの外面に耳部８８が突出状に設けられている。これら耳部８８には円弧形状の凸曲面に沿って被係合溝（被係合凹部）９０が所定間隔で形成されている。
ここで被係合溝９０は、耳部８８の両端の被係合溝９０Ｓ，９０Ｆと、それらの中間の被係合溝９０Ａ，９０Ｂとからなっている。
【００４７】
被係合溝（被係合部）９０は、固定部材７８に設けた後述する係合爪（係合部）１１６を係合させる部分であり、そして被係合溝９０Ｓ，９０Ａ，９０Ｂ，９０Ｆのうち、９０Ｓはレバー２８全閉時においてその係合爪１１６を係合させる部分であり、また９０Ｆはレバー全開時において係合爪を係合させる部分である。
一方それらの中間の被係合溝９０Ａ，９０Ｂのうち被係合溝９０Ａは、レバー２８を全閉状態から僅かに開いたところで係合爪１１６を係合させる部分であり、また被係合溝９０Ｂは、更にその状態からレバー２８を開側に操作したところで係合爪１１６を係合させる部分である。
【００４８】
可動部材７６における下端面は円弧形状の凹曲面９２とされており、その凹曲面９２の幅方向中間位置からガイド突片９４が下向きに突出している。
【００４９】
一方固定部材７８はリング状の差込部９６を有しており、その差込部９６が、図４及び図６に示しているように環状溝９８、即ち弁カートリッジ４２におけるキャップ５２と、これを固定するための固定ナット５４及び回転体５０との間に形成される環状溝９８に回転可能に差し込まれ、固定されている。
【００５０】
固定部材７８は、円弧形状の凸曲面１００を有しており、この凸曲面１００に対し可動部材７６の凹曲面９２が摺動可能に合わされている。
この凸曲面１００にはガイド溝１０２が形成されていて、そこに可動部材７６における上記ガイド突片９４が相対移動可能に差し込まれ、固定部材７８に対する可動部材７６の相対的な回動運動の際に、それらガイド突片９４とガイド溝１０２とによって可動部材７６の運動が案内されるようになっている。
【００５１】
上記ばね部材８０は、金属ばね線材を曲げ変形して構成したもので、各端部に直角の折曲部１０４，１０６が設けてある。そして一方の折曲部１０４が、固定部材７８に設けた突部１０８の掛止孔１１０に掛止固定されている。そして他方の折曲部１０６が、可動部材７６及び固定部材７８の本体とは別体に構成された係合部材１０２の掛止孔１１４に掛止されている。即ち係合部材１１２は、ばね部材８０の先端部に保持されている。
ここで係合部材１１２は下端に係合爪（係合部）１１６を有しており、その係合爪１１６を、可動部材７６における上記の被係合溝９０に係合させるようになっている。
固定部材７８の両側面には突部１１８，１２０が設けられている。
これら突部１１８，１２０はばね拘束面１２２，１２４を有している。ばね部材８０は、これらばね拘束面１２２，１２４によって所定組付状態に拘束され保持されている。
【００５２】
本例において、ばね部材８０は係合部材１１２を可動部材７６における一対の耳部８８の円弧形状の摺動面及びそこに形成された被係合溝９０に向けて付勢する付勢手段としての機能と、可動部材７６及び固定部材９６を上下に弾性結合する結合部材としての機能を備えている。
【００５３】
本例において、クリック機構７４は次のようにして簡単に水栓内部に組み込むことができる。
即ち、可動部材７６と固定部材７８とをばね部材８０で上下に弾性結合して全体を一つの組付体として構成しておき、その状態で先ず水栓におけるレバー２８を、ねじ６６を外すことによって水栓本体から取り外す。このときの状態が図６に示してある。
【００５４】
その状態で先ずクリック機構７４における固定部材７８のリング状の差込部９６を、水栓本体１４側の上記環状溝９８に差し込む。
その後レバー２８におけるキャップ５８のリブ６２Ｂ，６２Ａを可動部材７６におけるスリット８６Ｂ，８６Ａのそれぞれに差し込み、その後においてねじ６６をレバー軸６４にねじ込み、レバー２８をレバー軸６４に固定する。即ちレバー２８を水栓本体１４側に連結する。
その後キャップ７０をレバー２８の凹陥部６８に嵌着し、ねじ６６を目隠しする。ここにおいてクリック機構７４が水栓内部に組み付いた状態となる。
【００５５】
図１１及び図１２はこのようにしてクリック機構７４を組み付けた状態でレバー２８を上下回動操作したときの、クリック機構７４の作用を表している。これら図１１及び図１２に基づいて本例のクリック機構７４の作用を以下に説明する。
【００５６】
図１１（Ｉ）は、レバー２８が全閉位置にある状態を示している。このとき、クリック機構７４における固定部材９６の係合爪１１６は図１２（Ｉ）にも示しているように可動部材７６における被係合溝９０Ｓに係合した状態にある。
【００５７】
この状態からレバー２８を下向きに回動操作すると、レバー２８が一定量回動したところで係合爪１１６が被係合溝９０Ａに係合し、そこで第1段目のクリック感を発生させるとともに、レバー２８を、ばね部材８０のばね力及び係合爪１１６と被係合溝９０Ａとの係合作用に基づいて一時的にそこに静止させる。
図１１(II)及び図１２(II)はこのときの状態を表している。
【００５８】
次にこの状態からレバー２８を更に上向きに回動操作すると、レバー２８が一定量回動したところで再び係合爪１１６が、図１１(III)及び図１２(III)に示しているように被係合溝９０Ｂに係合するに至り、ここで再びクリック感を発生させるとともに、レバー２８をそこに一時的に静止させる。
そして更にこの状態から図１１(IV)及び図１２(IV)に示しているようにレバー２８を一杯まで上向きに回動操作すると、その時点で係合爪１１６が被係合溝９０Ｆに係合するに至り、そこでクリック機構７４がクリック感を発生させて、レバー２８が最終の全開位置に至ったことを使用者に知らしめる。
【００５９】
而して本例において、係合爪１１６が被係合溝９０Ａに係合するときのレバー２８の位置を第１の節水位置，係合爪１１６が被係合溝９０Ｂに係合するときのレバー２８の位置を第２節水位置として設定しておけば、使用者はレバー２８操作時に発生したクリック感によって、レバー２８が第１節水位置又は第２節水位置に至ったことを感覚的に知ることができ、それらの位置でレバー２８の操作を停止することで、無駄に大量の水を流してしまうといったことを未然に防ぐことができる。
【００６０】
本例においては、上記説明から明らかなように通常のシングルレバー水栓に対してクリック機構７４を後付けで取り付けることができ、これにより既設の通常の水栓に対しクリック機能を付与することができる。
【００６１】
また使用者が不必要と思えばそのクリック機構７４を取り外すこともできる。
また使用を続けるうちにクリック感が弱まり或いは消失した場合、消耗したクリック機構７４を使用者が新品のクリック機構７４と取り替えることができ、常に明確なクリック感を発生させる状態で水栓を使用し続けることができる。
【００６２】
またクリック機構７４として、クリック位置の異なる様々なバリエーションのものを予め用意しておくことで、キッチン用水栓，浴室用水栓，洗面用水栓等各種水栓に対して或いは水栓設置現場の状況等に応じて容易に対応することができる。
またクリック機構７４におけるばね部材８０が可動部材７６と固定部材７８とを弾性結合する結合部材を兼ねており、クリック機構７４全体が一つの組付体ユニットとして構成されているため、クリック機構７４の水栓への組付けを容易に行うことができる。
更に本例ではクリック機構７４を、レバー２８の基端のキャップ５８と水栓本体１４との間に形成された凹所内に収容し組み付けるようになしているため、もともと存在しているキャップ５８内部の空間をクリック機構７４の組み付けのためのスペースとして有効に活用することができる。
【００６３】
加えてその組付けに際して、単に可動部材７６におけるスリット８６Ａ，８６Ｂにキャップ５８のリブ６２Ａ，６２Ｂを差し込み、また固定部材７８におけるリング状の差込部９６を水栓本体１４側の環状溝９８に差し込み、その後にねじ６６にてレバー２８を固定するだけで、クリック機構７４を組み付けることができるため、簡単な作業で短時間に組付機構７４を水栓に組付け或いはこれから取り外すことができる。
【００６４】
次に図１３，図１４は本発明の他の実施例を示したものである。
この例はばね部材８０の端部をくの字状に折り曲げてそこに係合爪（係合部）１２６を形成し、その係合爪１２６を、可動部材７６に設けた被係合溝（被係合部）１２８に係合させるようになした例である。
尚この例では、被係合溝１２８がレバー２８の上下回動操作の途中箇所の１箇所にだけ設けられている。他の形態は上記実施例と基本的に同様であるので符号のみ示して詳しい説明は省略する。
【００６５】
この例では、図１４(I)に示す状態からレバー２８を上向きに回動操作すると、その途中で係合爪１２６が被係合溝１２８に係合し、そこでクリック感を発生させる（(II)参照）。ここが予め設定した節水位置であり、それ以上の水量を望むときには(III)に示すようにレバー２８を更にここから上向きに回動操作する。
【００６６】
図１５及び図１６は本発明の更に他の実施例を示している。
この例は、ばね部材８０の先端部にローラ（係合部）１３０を設け、このローラ１３０を、可動部材７６の側に設けた被係合溝９０に係合させてクリック感を発生させるようになした例である。
尚この例では、被係合溝９０として第１の実施例と同様に全閉位置の被係合溝９０Ｓと全開位置の被係合溝９０Ｆ及びそれらの中間の２位置の被係合溝９０Ａ，９０Ｂとを設けている。他の構成については基本的に第１の実施例と同様である。
【００６７】
図１６は図１５のクリック機構７４の作用を表したもので、その作用については第１の実施例と基本的に同様である。
【００６８】
この例の場合、被係合溝９０を深く形成しておくことで、クリック感を大きく発生させることができ、しかも被係合溝９０からローラ１３０が押し出される際、ローラ１３０の回転運動で円滑にこれをなすことができ、ローラ１３０と被係合溝９０との間で大きな摩擦力を発生させたり、その摩擦力によりローラ１３０や被係合溝９０を摩耗させたりするのを抑制でき、明確なクリック感を長く持続することができる。
【００６９】
以上本発明の実施例を詳述したが、これはあくまで一例示である。
例えば上例ではレバー２８における全閉位置と全開位置との間の上下回動操作の途中の１箇所及び２箇所でクリック感を発生させるようになしているが、場合によってそれ以上の複数箇所でクリック感を発生させ、更にはまたそれぞれの位置でレバー２８を一時静止させるようになすといったことも可能であるし、また係合部を凹形状に、被係合部を凸形状に形成するといったことも可能である。
【００７０】
また上例ではレバー２８を上向きに回動操作することで吐水を行うようになしているが、場合によってレバーを下向きに回動操作することで吐水をなすようにし、これに合せてクリック機構７４を構成するといったことも可能である。
更に上例ではクリック機構７４における可動部材７６をレバー２８のキャップに固定するようになしているが、場合によってこれをレバー２８と一体回動する他の水栓構成部材、例えばレバー軸６４に固定するといったことも可能である等、本発明はその主旨を逸脱しない範囲において種々変更を加えた形態で構成可能である。
【図面の簡単な説明】
【図１】  本発明の一実施例であるシングルレバー水栓全体を示す図である。
【図２】  図１における水栓本体の内部構造を周辺部とともに示す図である。
【図３】  図２における水栓本体上部及び周辺部を拡大して示す図である。
【図４】  図２におけるレバーを水栓本体から取り外した状態でクリック機構とともに示す図である。
【図５】  図２におけるレバーを取り除いた状態でクリック機構と周辺部を外観的に示す要部斜視図である。
【図６】  図２におけるレバーを水栓本体から取り外した状態でクリック機構とともに示す斜視図である。
【図７】  図６のレバーへのクリック機構の組付構造を示す図である。
【図８】  同じ実施例におけるクリック機構の構成を示す図である。
【図９】  図８のクリック機構の全体図と可動部材及び固定部材，ばね部材を分解した状態で示す図である。
【図１０】  同じ実施例のクリック機構を各部材に分解して右方向と左方向から見た斜視図である。
【図１１】  同じ実施例におけるクリック機構の作用をレバーの動きと併せて示した作用説明図である。
【図１２】  図１１におけるクリック機構の作用説明図である。
【図１３】  本発明の他の実施例におけるクリック機構の構成図である。
【図１４】  図１３のクリック機構の作用説明図である。
【図１５】  本発明の更に他の実施例におけるクリック機構の構成説明図である。
【図１６】  図１５のクリック機構の作用説明図である。
【符号の説明】
１０  シングルレバー水栓
１４  水栓本体
２８  シングルレバー
３０  ハウジング
４０  弁カートリッジ
４２  固定弁体
４６  可動弁体
５０  回転体
５２，５８  キャップ
５４  固定ナット
６２，６２Ａ，６２Ｂ  補強リブ
６４  レバー軸
７４  クリック機構
７６  可動部材
７８  固定部材
８０  ばね部材
８６Ａ，８６Ｂ  スリット
９０，９０Ｓ，９０Ａ，９０Ｂ，９０Ｆ  被係合溝（被係合凹部）
９６  差込部
９８  環状溝
１２６  係合爪（係合部）
１２８  被係合溝（被係合部）
１３０  ローラ
【図１】
0003875064.tif 000002
【図２】
0003875064.tif 000003
【図３】
0003875064.tif 000004
【図４】
0003875064.tif 000005
【図５】
0003875064.tif 000006
【図６】
0003875064.tif 000007
【図７】
0003875064.tif 000008
【図８】
0003875064.tif 000009
【図９】
0003875064.tif 000010
【図１０】
0003875064.tif 000011
【図１１】
0003875064.tif 000012
【図１２】
0003875064.tif 000013
【図１３】
0003875064.tif 000014
【図１４】
0003875064.tif 000015
【図１５】
0003875064.tif 000016
【図１６】
0003875064.tif 000017